(57)【要約】【課題】  アンテナ分配器を同軸ケーブルを取付けるときに、この同軸ケーブルが外側に張出すように引回さなくする。【解決手段】  下板２７の両側より下方に突出して上記２分配された電波信号を出力する出力端子３，３を設け、上板２１と前面板２３と左，右の側板２２，２２とより成り、内部のプリント基板を被うカバー２０とより構成され、背板２６の下部内面側に凹部を設けて、この凹部に上記下板２７の端部を嵌合して背板２６と下板２７とを組合せ、Ｌ字状体部品を構成し、このＬ字状部品にカバー２０を取付けるようにした。【選択図】        図１
2005354128.tif 000002
【特許請求の範囲】
【請求項１】
屋内壁面に設けられたアンテナ接続端子に取付けられる分配器であって、
外導体及び中心導体とより成り、背板より突出して上記アンテナ接続端子に嵌着される入力端子と、上記入力端子に入力される電波信号を分配する回路部品が実装されたプリント基板と、外導体と中心導体とより成り、下板の両側より下方に突出して上記分配された電波信号を出力する出力端子と、上板と前面板と左，右の側板とより成り、内部のプリント基板を被うカバーとより構成され、上記背板の下部内面側に凹部を設けて、この凹部に上記下板の端部を嵌合して背板と下板とを組合せＬ字状体部品を構成し、このＬ字状部品に上記カバーを取付けるようにしたことを特徴とするアンテナ分配器。
【請求項２】
屋内壁面に設けられたアンテナ接続端子に取付けられる分配器であって、
外導体及び中心導体とより成り、背板より突出して上記アンテナ接続端子に嵌着される入力端子と、上記入力端子に入力される電波信号を２分配又は４分配する回路部品が実装されたプリント基板と、外導体と中心導体とより成り、下板の両側より下方に突出して上記２分配又は４分配された電波信号を出力する出力端子と、上板と前面板と左，右の側板とより成り、内部のプリント基板を被うカバーとより構成され、上記背板の下部内面側に凹部を設けて、この凹部に上記下板の端部を嵌合して背板と下板とを組合せＬ字状体部品を構成し、このＬ字状部品に上記カバーを取付けるようにしたことを特徴とするアンテナ分配器。
【請求項３】
下板を、上記カバーの両側板の内面に設けた水平方向のスライド溝に係合可能としたことを特徴とする請求項１又は請求項２に記載のアンテナ分配器。
【請求項４】
上記背板を、上記カバーの前面板裏面より突出するボスのネジ穴にねじ止めして取付けたことを特徴とする請求項１〜３のいずれかに記載のアンテナ分配器。
【請求項５】
上記カバーの前面板の下部内側に、両端が上記スライド溝に接続される受け溝を設け、上記下板の後端側を、上記受け溝の上部に設けたガイド舌片の下面に沿ってスライドして上記受け溝に嵌合可能としたことを特徴とする請求項１〜４のいずれかに記載のアンテナ分配器。
【発明の詳細な説明】
【技術分野】
【０００１】
本発明は、アンテナ接続端子に接続してテレビ等の複数台の受像機にアンテナで受信した信号を分配するアンテナ分配器に関するものである。
【背景技術】
【０００２】
図８は従来のアンテナ分配器の一例を示す接続図であり、同図において１は分配器であり、この分配器は図外の室内壁部に設けられるアンテナカバー２の中央のアンテナ接続端子２ａに取付けられるもので、その取付けは分配器１の背部より突出する入力端子１ａを上記アンテナ接続端子２ａに嵌着することでなされる。この分配器１は水平方向に延長しその両端より出力端子３，３が左，右方向に突設される。この出力端子３，３の外導体４の外周はねじ切りされ、この外導体４の外周を被うように、同軸ケーブル５，５の先端の筒状のプラグ６を嵌合することで、出力端子３，３の外導体４，４と同軸ケーブル５，５の外導体及び出力端子３，３の中心導体と同軸ケーブル５，５の中心導体との接続が可能となる。
このような構成によれば、アンテナ接続端子２ａまで導かれ、入力端子１ａより取込まれる電波信号を、分配器１に内臓の２分配回路を経て２分配した後、出力端子３，３より出力可能となるので、同軸ケーブル５，５を出力端子３，３に接続することで、分波器７を介して受像機８に出力でき、あるいは分波器９とかチューナ１０を介して受像機１１に出力できる。なお、分配器１の入力端子１ａ側には、例えばアンテナ１２，１３を混合器（ミキサ）１４で混合して得られる電波信号１５と、アンテナ１６の電波信号１７とが混合器１８で混合して得られる電波信号１９が壁内の同軸ケーブル１９ａを介して供給される。
【特許文献１】実開平６−４４０６６号公報
【発明の開示】
【発明が解決しようとする課題】
【０００３】
しかしながら、従来のアンテナ分配器によれば、出力端子が左，右方向に突出しているので、同軸ケーブル５，５を取付けるときに、この同軸ケーブル５，５が外側に張出すように引回されてしまい、同軸ケーブル５，５を束ねるのに、まとまりの悪いものであった。
【課題を解決するための手段】
【０００４】
本発明の請求項１に記載の発明は、外導体及び中心導体とより成り、背板より突出して上記アンテナ接続端子に嵌着される入力端子と、上記入力端子に入力される電波信号を分配する回路部品が実装されたプリント基板と、外導体と中心導体とより成り、下板の両側より下方に突出して上記分配された電波信号を出力する出力端子と、上板と前面板と左，右の側板とより成り、内部のプリント基板を被うカバーとより構成され、上記背板の下部内面側に凹部を設けて、この凹部に上記下板の端部を嵌合して背板と下板とを組合せ、Ｌ字状体部品を構成し、このＬ字状部品に上記カバーを取付けるようにしたことを特徴とする。
【０００５】
本発明の請求項２に記載の発明は、外導体及び中心導体とより成り、背板より突出して上記アンテナ接続端子に嵌着される入力端子と、上記入力端子に入力される電波信号を２分配又は４分配する回路部品が実装されたプリント基板と、外導体と中心導体とより成り、下板の両側より下方に突出して上記２分配又は４分配された電波信号を出力する出力端子と、上板と前面板と左，右の側板とより成り、内部のプリント基板を被うカバーとより構成され、上記背板の下部内面側に凹部を設けて、この凹部に上記下板の端部を嵌合して背板と下板とを組合せ、Ｌ字状体部品を構成し、このＬ字状部品に上記カバーを取付けるようにしたことを特徴とする。
【０００６】
請求項３に記載の発明は、下板を、上記カバーの両側板の内面に設けた水平方向のスライド溝に係合可能としたことを特徴とする。
【０００７】
請求項４に記載の発明は、上記背板を、上記カバーの前面板裏面より突出するボスのネジ穴にねじ止めして取付けたことを特徴とする。
【０００８】
請求項５に記載の発明は、上記カバーの前面板の下部内側に、両端が上記スライド溝に接続される受け溝を設け、上記下板の後端側を、上記受け溝の上部に設けたガイド舌片の下面に沿ってスライドして上記受け溝に嵌合可能としたことを特徴とする。
【発明の効果】
【０００９】
本発明によれば、複数の出力端子を共に下方向に突出させ、これに接続される同軸ケーブルをまとまり良く引回すことができるようにし、しかも、背板と下板とでＬ字状体部品を構成し、このＬ字状体部品にカバーを組付けるようにして、作業の分業化が行えて、量産化が図れるようにするものである。
【００１０】
また、カバーの両側板の内面に水平方向のスライド溝を設ければ、下板をスライド溝に沿って案内できる。
また、背板をカバーの前面板裏面より突出するボスのネジ穴にねじ止めして取付ければ、Ｌ字状体部品とカバーとを一体化できる。
また、カバーの前面板の下部内側に、両端がスライド溝に接続される受け溝を設け、受け溝の上部にガイド舌板を設ければ、下板の後端側を、ガイド舌片の下面に沿ってスライドして受け溝に嵌合できる。
【発明を実施するための最良の形態】
【００１１】
最良の形態１．
図１〜図７は本発明によるアンテナ分配器を説明するための簡略構成図であり、図１０と同じものは同一符号を用いている。
各図において、２０は分配器１を構成するための上板２１、側板２２，２２、前面板２３より成り、背部２４及び下部２５が開口される横長のカバーである。この横長のカバー２０の背部２４は背板２６が嵌合されることにより塞がれ、又下部２５は下板２７が嵌合されることにより塞がれる。図２，図５に示すように背板２６の下端表面に設けられた凹部２６ａに下板２７の一端を嵌合することで背板２６と、下板２７とはほぼＬ字状を成す如く組立てられ、下板２７はその両側縁部がカバー２０の両側板２２，２２内側に沿って設けられたスライド溝２８にスライドして装着される。なお、前面板２３の下部内側に、上記スライド溝２８に両端が接続される受け溝２８ｍが設けられ、さらに前面板２３の上記受け溝２８ｍよりやや上部に、ガイド舌片２８ｎが設けられ、下板２７の先端２７ｇはガイド舌片２８ｎの下面に沿ってスライドしつつ上記受け溝２８ｍに嵌合される。上記スライド溝２８及び受け溝２８ｍはカバー２０の下端内面に沿って設けられた凸部２８ａと、それより若干高い位置に、凸部２８ａと平行に設けられた凸部２８ｂとから形成される。スライド溝２８に下板２７の両側縁部をスライドして装着するときは、背板２６の左，右に設けられ、内部方向に突設されたボス２９の先端がプリント基板３０を介してカバー２０の前面板２３の内側左，右に突設されたボス３１の先端に対向し、背板２６は、背板２６，ボス２９，プリント基板３０を介してボス３１のねじ穴３１ａに外側より螺入されるスクリューねじ２６Ｓでカバー２０に固定される。なお、上記プリント基板３０は４本のねじ３２で、スペーサとしての上記ボス２９でスクリューねじ２６Ｓに対し平行を保った状態でねじ受け３２ａに螺着される。
【００１２】
図４に示す如く、背板２６の中央の穴３３には入力端子１ａの筒状の外導体３４が嵌合され、その中心導体３５はプリント基板３０を貫通して、ハンダ付けで配線されて、さらにその外導体３４も２本の接続片３４ａ，３４ａを介してプリント基板３０を貫通してハンダ付けで配線されている。
なお、入力端子１ａには切り込み１ｍが形成されることで、弾性が付与され、アンテナ接続端子２ａへの挿抜が容易となっている。
図３に示す如く、下板２７の左，右に形成された孔３６には出力端子３の筒状の外導体４の基部が嵌合する。この外導体４の基端にはフランジ３７が固定されて、外導体４は引抜け不能となっており、外導体４には薄肉ナット３８が螺着されて、この薄肉ナット３８とフランジ３７で下板２７を挟持することで左，右の外導体４，４は下板２７に固定されている。なお、フランジ３７は下板２７に設けられた回り止め片３７ａ，３７ａで保持される。このフランジ３７の背板２６側端部の左，右に上記ねじ受け３２ａが一体化され、このねじ受け３２ａにプリント基板３０がねじ３２でねじ止めされる。なお、フランジ３７の後端及びねじ受け３２ａの後端は、背板２６の下端の凹部２６ａより上部に設けた水平状のストッパ２６ｆに当接し、これで背板２６とでＬ字状体を成す下板２７自体の安定を保っている。
【００１３】
出力端子３の中心導体３９は先端に、プラグ６の中心導体６ａを受容するラッパ状の拡開部を有し、反対側はプリント基板３０に配線される。
なお、プリント基板３０の回路構成は概略図７に示す通りであり、入力端子１ａからの電波信号を、２個の出力端子３，３から２分配可能となるように実装された各種コイル４１,４２,４３、コンデンサ４４,４５,４６等により構成される。これ等の部品の実装はプリント基板３０の裏側（背板２６との対面側になされ、プリント基板３０の表面側はハンダ付け面となっている。）
以上の構成によれば、下板２７の端部にプリント基板３０を組付け、さらにこの下板２７の端部に背板２６を組付けてＬ字状体部品４０を構成した後、下板２７を分配器１のスライド溝２８にスライドして組付けてから、スクリューねじ２６Ｓを背板２６，ボス２９，プリント基板３０からボス３１のねじ穴３１ａにねじ込むことにより、カバー２０との一体化が可能となる。
【００１４】
最良の形態２．
上記最良の形態１では電波信号を２分配する分配器について説明したが、電波信号を２分配以外の複数に分配してもよい。例えば図８，図９に示すように４分配するようにしても良い。すなわち、各図において、プリント基板３０を４分配する回路部品が実装されたプリント基板３０ａとし、下板２７に形成された孔３６，３６，３６，３６に、出力端子３，３，３，３を備えることにより、分配器に入力された電波信号を４分配して出力端子３，３，３，３に出力することができる。
なお、電波信号を分配する分配器の形状は上記形状に限るものではなく、プリント基板３０ａに実装された回路部品の回路の変更や、ガイド舌板２８ｎ，ねじ３２，孔３６，回り止め片３７ａの数量を変更することにより電波信号の分配数を変更可能である。
【産業上の利用可能性】
【００１５】
このような構成によれば、出力端子３,３が両方とも下方向に突出するので、図６に示す如く、同軸ケーブル５,５をまとまり良く引回すことができる。
また、Ｌ字状体部品４０をあらかじめ構成しておいてから、Ｌ字状体部品４０にカバー２０を組付ければよいので、作業の分業化が行えて、量産化が図れる。
【図面の簡単な説明】
【００１６】
【図１】本発明の最良の形態１を示す斜視図である。
【図２】本発明の最良の形態１を示す分解斜視図である。
【図３】本発明の最良の形態１を示す分配器の内部構成図である。
【図４】本発明の最良の形態１を示す分配器の内部構成図である。
【図５】本発明の最良の形態１を示す分配器の内部構成図である。
【図６】本発明の最良の形態１を示す分配器の接続例を示す図である。
【図７】本発明の最良の形態１を示す回路図である。
【図８】本発明の最良の形態２を示す分配器の内部構成図である。
【図９】本発明の最良の形態２を示す分解斜視図である。
【図１０】従来のアンテナ分配器の一例を示す接続図である。
【符号の説明】
【００１７】
１  分配器、１ａ  入力端子、２ａ  アンテナ接続端子、３，３  出力端子、
４  外導体、５，５  同軸ケーブル、６  プラグ、７  分波器、８  受像機、
９  分波器、１０  チューナ、１２，１３  アンテナ、１４  混合器（ミキサ）、
２０  カバー、２１  上板、２２，２２  側板、２３  前面板、２４  背部、
２６  背板、２６ａ  凹部、２６Ｓ  スクリューねじ、２７  下板、
２８  スライド溝、２８ａ  凸部、２９，３１  ボス、３０  プリント基板、
３１ａ  ねじ穴、３２ａ  ねじ受け、３４  外導体、３５  中心導体、３６  孔、
３９  中心導体、４０  Ｌ字状体部品。
【図１】
2005354128.tif 000003
【図２】
2005354128.tif 000004
【図３】
2005354128.tif 000005
【図４】
2005354128.tif 000006
【図５】
2005354128.tif 000007
【図６】
2005354128.tif 000008
【図７】
2005354128.tif 000009
【図８】
2005354128.tif 000010
【図９】
2005354128.tif 000011
【図１０】
2005354128.tif 000012